(57)【要約】【課題】ベアディスク状態のディスク状記録媒体およびディスクカートリッジに収容されたディスク状記録媒体の双方を確実にチャッキングする上で有利なディスク装置を提供する。【解決手段】光ディスク２が第１のチャッキング手段を構成する各ばね片２２０６および各係合凸部２２０８によりターンテーブル２２に取着された状態で第２のチャッキング手段を構成するチャックプーリー２４が光ディスク２のチャッキング領域２２Ａにターンテーブル２２と反対側から当接することによりチャッキング領域２２Ａをターンテーブル２２との間で挟持する。ディスク装置１０やスピンドルモータ２０の姿勢に拘わらずベアディスク状態の光ディスク２およびディスクカートリッジ４に収容された光ディスク２の双方を確実にチャッキングすることができる。【選択図】        図８
2004342265.tif 000002
【特許請求の範囲】
【請求項１】
スピンドルモータと、前記スピンドルモータの回転軸に設けられたターンテーブルと、ディスク状記録媒体を収容する収容空間を備え、前記ターンテーブルは、前記回転軸を中心として該回転軸の周囲で環板状に延在するテーブル部と、前記テーブル部の中心から突設され前記ディスク状記録媒体の中心孔に挿通されることで前記ディスク状記録媒体の中心を前記回転軸の中心軸に一致させ前記収容空間にディスク状記録媒体を収容するセンタリング部とを有し、ディスク状記録媒体に対して情報の記録および／または再生を行なうディスク装置であって、
前記センタリング部に、前記中心孔に前記センタリング部が挿通され、かつ、ディスク状記録媒体の中心部が前記テーブル部に当接した状態で前記中心孔の縁部に係合することにより前記ディスク状記録媒体を前記ターンテーブルに取着する第１のチャッキング手段が設けられ、
前記ディスク状記録媒体が前記第１のチャッキング手段により前記ターンテーブルに取着された状態で前記ディスク状記録媒体の中心部に前記テーブル部と反対側から当接することにより前記中心部を前記テーブル部との間で挟持する第２のチャッキング手段が設けられている、
ことを特徴とするディスク装置。
【請求項２】
前記第１のチャッキング手段が前記ディスク状記録媒体を前記ターンテーブルに取着する力は、前記ディスク状記録媒体に対して該ディスク状記録媒体のほぼ自重に相当する力が前記ディスク状記録媒体を前記ターンテーブルから外す方向に作用したときに、前記ディスク状記録媒体が前記ターンテーブルから脱落しない程度の値に設定されていることを特徴とする請求項１記載のディスク装置。
【請求項３】
前記第１のチャッキング手段は、前記中心孔の縁部に臨む前記センタリング部の箇所に設けられ、径方向外側に弾性変形可能に、かつ、径方向外方に付勢された３以上の奇数個のばね片で構成されていることを特徴とする請求項１記載のディスク装置。
【請求項４】
前記ばね片には前記ディスク状記録媒体のターンテーブルと反対側の面に係合する係合凸部が設けられていることを特徴とする請求項３記載のディスク装置。
【請求項５】
前記第１のチャッキング手段は、前記中心孔の縁部に臨む前記センタリング部の箇所に設けられ、径方向外側に出没可能に、かつ、径方向外方に付勢された３以上の奇数個の係合爪で構成され、前記係合爪は前記中心孔の縁部に係合するように構成されていることを特徴とする請求項１記載のディスク装置。
【請求項６】
前記ディスク装置は、前記スピンドルモータ、ターンテーブル、収容空間を有する本体と、前記収容空間を開閉するように前記本体に揺動可能に設けられた開閉蓋とを備え、前記第２のチャッキング手段は、前記テーブル部と離間接近する方向に移動可能に設けられたチャックプーリーと、前記チャックプーリーを磁力により前記テーブル部側に吸着するチャックマグネットとで構成され、前記チャックマグネットは前記センタリング部に設けられ、前記チャックプーリは前記開閉蓋に設けられていることを特徴とする請求項１記載のディスク装置。
【請求項７】
前記ディスク装置は、前記スピンドルモータ、ターンテーブル、収容空間を有する本体と、前記収容空間を開閉するように前記本体に揺動可能に設けられた開閉蓋とを備え、前記開閉蓋に、前記ディスク状記録媒体が収容されたディスクカートリッジが装脱されるカートリッジ保持機構が設けられ、前記カートリッジ保持機構は、前記開閉蓋を閉じると、該カートリッジ保持機構に装填されたディスクカートリッジのディスク状記録媒体が前記収容空間に臨み、前記開閉蓋を開くと、前記カートリッジ保持機構の端部が前記開閉蓋から離れカートリッジ保持機構に対してディスクカートリッジの装脱が行なえるように構成されていることを特徴とする請求項１記載のディスク装置。
【発明の詳細な説明】
【０００１】
【発明の属する技術分野】
本発明はディスク装置に関するものである。
【０００２】
【従来の技術】
ＤＶＤなどのディスク状記録媒体に対して記録および／または再生を行なうディスク装置は、スピンドルモータと、その回転軸に設けられたターンテーブルとを有し、ディスク状記録媒体をターンテーブルに取着してスピンドルモータを回転させることによりディスク状記録媒体を回転させ、該ディスク状記録媒体に光ビームを照射して情報の記録および／または再生を行なうように構成されている。
ディスク状記録媒体をターンテーブルに取着する構成としては、ターンテーブルの中心にディスク状記録媒体の中心孔に挿通されるセンタリング部を設け、ターンテーブルと離間接近する方向に移動可能にチャックプーリーを設け、ターンテーブル側に前記チャックプーリーを磁力により吸着するチャックマグネットを設け、前記センタリング部が前記中心孔に挿通された状態でチャックプーリをディスク状記録媒体を介してチャックマグネットで吸着することにより、ディスク状記録媒体をターンテーブルに取着するものがある（例えば特許文献１）。
また、他の構成としては、前記センタリング部に前記中心孔の縁部に係合する係合部を設け、該係合部と中心孔の縁部とを係合させることによりディスク状記録媒体をターンテーブルに取着する、いわゆるセルフチャック機構がある。
【０００３】
【特許文献１】
特開２０００−１５６００７号公報
【０００４】
【発明が解決しようとする課題】
ところで、ディスク状記録媒体としては、例えばＤＶＤ−ＲＡＭのようにディスクカートリッジに収容されたものと、ＤＶＤ−Ｒのようにベアディスク状態のものとの２種類が流通している。
このような２種類のディスク状記録媒体の双方を使用するディスク装置を想定した場合、ディスク状記録媒体の取着機構として上述した２種類の機構を用いるとそれぞれ次のような不都合が生じる。
１）セルフチャック機構を用いる場合
ディスク状記録媒体の中心孔の縁部と前記係合部とが係合した状態でディスク状記録媒体を取り外す場合には例えば１ｋｇ近い力が必要となるため、ベアディスクを手で取り扱う場合には問題がないが、ディスク装置に設けた搬送機構でディスクカートリッジをターンテーブルに装脱する場合には、搬送機構やディスクカートリッジに過大な力がかかるおそれがある。
２）チャックプーリーとチャックマグネットを用いる場合
スピンドルモータの回転軸が水平方向に向いたり、鉛直方向下方に向いた状態では、ベアディスク状態のディスク状記録媒体の中心孔をセンタリング部に挿通しても、ディスク状記録媒体が自重によりセンタリング部から抜落してしまい、チャッキングプレートによる吸着ができない。このため、ベアディスク状態のディスク状記録媒体を用いる際には、ディスク状記録媒体がセンタリング部から抜落しないようにディスク装置やスピンドルモータの姿勢が限定されてしまう不都合がある。
本発明は、このような事情に鑑みなされたものであり、その目的とするところは、ベアディスク状態のディスク状記録媒体およびディスクカートリッジに収容されたディスク状記録媒体の双方を確実にチャッキングする上で有利なディスク装置を提供することにある。
【０００５】
【課題を解決するための手段】
本発明のディスク装置は、前記目的を達成するために、スピンドルモータと、前記スピンドルモータの回転軸に設けられたターンテーブルと、ディスク状記録媒体を収容する収容空間を備え、前記ターンテーブルは、前記回転軸を中心として該回転軸の周囲で環板状に延在するテーブル部と、前記テーブル部の中心から突設され前記ディスク状記録媒体の中心孔に挿通されることで前記ディスク状記録媒体の中心を前記回転軸の中心軸に一致させ前記収容空間にディスク状記録媒体を収容するセンタリング部とを有し、ディスク状記録媒体に対して情報の記録および／または再生を行なうディスク装置であって、前記センタリング部に、前記中心孔に前記センタリング部が挿通され、かつ、ディスク状記録媒体の中心部が前記テーブル部に当接した状態で前記中心孔の縁部に係合することにより前記ディスク状記録媒体を前記ターンテーブルに取着する第１のチャッキング手段が設けられ、前記ディスク状記録媒体が前記第１のチャッキング手段により前記ターンテーブルに取着された状態で前記ディスク状記録媒体の中心部に前記テーブル部と反対側から当接することにより前記中心部を前記テーブル部との間で挟持する第２のチャッキング手段が設けられていることを特徴とする。
そのため、ディスク状記録媒体が第１のチャッキング手段によりターンテーブルに取着された状態で第２のチャッキング手段がディスク状記録媒体のチャッキング領域にターンテーブルと反対側から当接することによりチャッキング領域がターンテーブルとの間で挟持されるので、ディスク装置やスピンドルモータの姿勢に拘わらずベアディスク状態のディスク状記録媒体およびディスクカートリッジに収容されたディスク状記録媒体の双方が確実にチャッキングされる。
【０００６】
【発明の実施の形態】
次に、本発明の実施の形態について図面を参照して説明する。
以下、本発明によるディスク装置の第１の実施の形態を図面に基づいて詳細に説明する。
図１は本発明に係るビデオカメラを斜め後方から見た斜視図、図２はビデオカメラの開閉蓋が開位置にある状態を示す斜視図、図６はビデオカメラにディスクカートリッジを装填する状態を示す斜視図、図４はビデオカメラにベアディスク状態の光ディスクを取着した状態を示す斜視図、図５（Ａ）、（Ｂ）はディスクカートリッジの斜視図、図６はホルダの斜視図、図７はビデオカメラの制御系の構成を示すブロック図、図８はスピンドルモータ近傍の断面図、図９は図８の拡大断面図、図１０は（Ａ）、（Ｂ）、（Ｃ）は光ディスクの第１チャッキング手段への取付を説明する図である。
【０００７】
まず、図７を参照してディスク装置としてのビデオカメラ１０の制御系の構成について説明する。
本実施の形態に係るビデオカメラ１０は、撮影した画像情報をディスク状記録媒体である光ディスク２に記録するとともに、該光ディスク２に記録されている画像情報を再生するものである。
図７に示すようにビデオカメラ１０は、撮影光学系１０１、撮像素子１０２、エンコーダ１０６、スピンドルモータ２０、モータドライバ１１０、光ピックアップ１１２、ＬＤ駆動部１１４、プリアンプ１１６、サーボ制御部１１８、デコーダ１２０、インターフェース１２２、モニタ１２４、操作スイッチ１２６、システムコントローラ１２８などを備えている。
撮影光学系１０１は、被写体像を導き撮像素子１０２上に結像する。撮像素子１０２は結像された被写体像を検出して撮像信号を生成するように構成されている。
エンコーダ１０６は、前記撮像信号に対して変調など必要な信号処理を行なうとともに、適切なデジタルデータに変換するエンコード処理を行ない、該デジタルデータをＬＤ駆動部１１４に供給するように構成されている。
スピンドルモータ２０は、そのターンテーブル２２上に光ディスク２をチャッキングした状態で、モータドライバ１１０から供給される駆動信号に基づいて駆動されることで光ディスク２を回転するように構成されている。
ＬＤ駆動部１１４は前記デジタルデータに基づいて光ピックアップ１１２のレーザーダイオードを駆動するように構成されている。
光ピックアップ１１２は、レーザーダイオードから記録用の光ビームを前記回転している光ディスク２に照射することで被写体像を示す画像情報の記録を行なうように構成され、また、光ピックアップ１１２は、レーザーダイオードから再生用の光ビームを前記回転している光ディスク２に照射して光の強弱に対応した検出信号を検出し該検出信号をプリアンプ１１６に供給するように構成されている。
【０００８】
プリアンプ１１６は前記検出信号を増幅および演算処理することにより再生信号およびエラー信号を生成するように構成されている。
サーボ制御部１１８はプリアンプ１１６から供給されたエラー信号に基づいて光ピックアップ１１２のトラッキングサーボ制御およびフォーカスサーボ制御を行なうとともに、モータドライバ１１０によりスピンドルモータ２０の回転サーボ制御を行なうように構成されている。
デコーダ１２０はプリアンプ１１６から供給された再生信号を復調するとともに必要な信号処理を行ないインターフェース１２２に供給するように構成されている。
インターフェース１２２は前記再生信号をモニタ１２４に供給することにより該モニタ１２４上に画像を表示させるように構成されている。
操作スイッチ１２６は、電源スイッチや撮影開始および撮影停止スイッチなどを含み、これら各スイッチからの操作指令信号をシステムコントローラ１２８に供給するように構成されている。
システムコントローラ１２８は、操作スイッチ１２６からの操作指令信号に応じて上述したエンコーダ１０６、ＬＤ駆動部１１４、デコーダ１２０などに対して制御を行なうように構成されている。
また、本実施の形態では、エンコーダ１０６、スピンドルモータ２０、モータドライバ１１０、光ピックアップ１１２、ＬＤ駆動部１１４、プリアンプ１１６、サーボ制御部１１８、デコーダ１２０、システムコントローラ１２８によって記録再生機構が構成されている。
【０００９】
次に、ビデオカメラ１０に用いる光ディスク２、ディスクカートリッジ４について説明する。
図４に示すように、ベアディスク状態の光ディスク２は、中心に中心孔（インナーホール）２１が形成され、中心孔２１の外周に前記ターンテーブルに当たる円環状のチャッキング領域（非記録エリア）２２Ａが形成され、チャッキング領域２２Ａの外側に情報の記録がなされる円環状の記録領域（記録エリア）２２Ｂが形成されている。本実施の形態では、光ディスク２は直径８ｃｍのＤＶＤ−Ｒ、あるいはＤＶＤ−ＲＡＭで構成されている。
図５に示すように、ディスクカートリッジ４は、上述した光ディスク２と、該光ディスク２を収容するカートリッジケース４２とで構成されている。
カートリッジケース４２は矩形板状に形成され、その上面と下面には一辺から中央部にわたって切欠４４がそれぞれ形成され、上下面の切欠４４を介して光ディスク２の中心孔２１と、チャッキング領域２２Ａと、記録領域２２Ｂの一部とがカートリッジケース４２の外部に露出できるように構成されている。
カートリッジケース４２の上面および下面には、これら切欠４４を同時に開閉する単一のシャッタ４６が上面および下面に沿ってスライド可能に設けられ、シャッタ４６は切欠４４を閉鎖する閉鎖位置に常時付勢されている。
【００１０】
図１、図２に示すように、ビデオカメラ１０は、本体１２、開閉蓋１４、収容空間１５、カートリッジ保持機構１６、スピンドルモータ２０、ターンテーブル２２、チャックプーリー２４（図７）などを備えている。
図１、図２に示すように、本体１２は、上下方向の高さと、該高さよりも大きな寸法の前後方向の長さと、前記高さよりも小さな寸法の左右方向の幅とを有した矩形板状に構成されている。
本体１２の前面上部には鏡胴１２０２が設けられ該鏡胴１２０２には撮影光学系１０１（図７）が収容されている。
本体１２の後面上部にはファインダー窓１２０４が設けられ、本体１２の内部にはファインダー窓１２０４から視認可能にモニタ１２４（図７）が配設されている。
本体１２の左側面には、電源スイッチや撮影開始および停止スイッチなどからなる操作スイッチ１２６（図７）が配設されている。
本体１２の右側には、ディスク状記録媒体２を収容する凹状の収容空間１５が形成されている。
開閉蓋１４は、本体１２の右側面よりも一回り小さい矩形板状に形成され収容空間１５を開閉するように本体１２の右側面に対して揺動可能に設けられている。本実施の形態では、開閉蓋１４は、その前部が本体１２の右側面の前部にヒンジを介して揺動可能に取着され、図１に示す閉位置と図２に示す開位置とに開閉するように構成されている。
開閉蓋１４の後部には不図示の開閉蓋係合部が設けられ、該係合部に対応する本体１２の箇所に前記係合部と係合する不図示の本体係合部が設けられている。そして、開閉蓋１４が閉位置に位置した状態で前記開閉蓋係合部と本体係合部が互いに係合することで開閉蓋１４の閉位置が保持され、本体１２に設けられたレバー１２０６を操作することで前記開閉蓋係合部と本体係合部の係合が解除され開閉蓋１４を閉位置から開位置に揺動できるように構成されている。
開閉蓋１４の前部と後部にはストラップベルト１２０８の両端がそれぞれ連結されており、ストラップベルト１２０８と開閉蓋１４の間に手を入れて本体１２をしっかり保持することができるように構成されている。
【００１１】
カートリッジ保持機構１６は、図４、図６に示すように、開閉蓋１４の内側に設けられた矩形板状の縦板１６０２と、縦板１６０２の上下の辺から屈曲形成された上部支持片１６０４、下部支持片１６０６とからなるホルダ１６１０で構成されている。そして、縦板１６０２、上部支持片１６０４、下部支持片１６０６の内側にディスクカートリッジ４が装填されるように構成されている。
ホルダ１６１０は、その前部が開閉蓋１４の内側前部にヒンジを介して揺動可能に取着され、図２に示す開閉蓋１４の開位置では後部が開閉蓋１４よりも本体１２寄りに突出してこの後部からディスクカートリッジ４の装脱が容易に行なえ、また、図１に示す開閉蓋１４の閉位置ではホルダ１６１０が本体１２側に押圧されることで開閉蓋１４の内側に収容され、該ホルダ１６１０に装填されたディスクカートリッジ４のディスク状記録媒体２が収容空間１５に臨むように構成されている。
なお、ディスクカートリッジ４の装填時には、情報の記録または再生を行なうべく光ディスク２の記録面が本体１２側に臨むようにホルダ１６１０に装填される。
また、ホルダ１６１０には、不図示のシャッター開放機構が設けられており、ホルダ１６１０にディスクカートリッジ４が装填されると、前記シャッター開放機構がディスクカートリッジ４のシャッター４６に係合し該シャッター４６を閉塞位置から開放位置にスライドさせるように構成され、ホルダ１６１０からディスクカートリッジ４を抜去すると、前記シャッター開放機構とシャッター４６の係合が解除されシャッター４６が前記付勢によって開放位置から閉塞位置にスライドされるように構成されている。
縦板１６０２の中央には、チャックプーリー２４の輪郭よりも一回り大きな径の孔１６０３が形成されている。
上部支持片１６０４および下部支持片１６０６の縦板１６０２と反対側の縁部には、光ディスク２の半径よりも一回り大きな輪郭の円周に沿って延在する凹状の切欠１６０８が形成されている。
【００１２】
図２、図７に示すように、スピンドルモータ２０は、本体１２を構成する板状のシャーシ１２０８に取着され、ターンテーブル２２は、スピンドルモータ２０の回転軸２００２に取着されている。
ターンテーブル２２は、回転軸２００２を中心として該回転軸２００２の周囲で環板状に延在するテーブル部２２０２と、テーブル部２２０２の中心から突設され光ディスク２の中心孔２１に挿通される軸状のセンタリング部２２０４とで構成されている。
【００１３】
センタリング部２２０４には、その上面から外周面にわたって下方に傾斜する環状の傾斜面２２０５が形成され、光ディスク２の中心孔２１の縁部が傾斜面２２０５に沿って案内されることにより円滑に挿通されるようになっている。
センタリング部２２０４の上部には環状のチャックマグネット２２１０が組み込まれている。
図８、図９に示すように、中心孔２１にセンタリング部２２０２が挿通された状態で中心孔２１の縁部に臨むセンタリング部２２０２の箇所には、センタリング部２２０４の中心軸を中心として１２０度の間隔をおいて径方向外側に弾性変形可能に、かつ、径方向外方に付勢された３つのばね片２２０６が設けられており、各ばね片２２０６の上部には係合凸部２２０８が外方に突設されている。
したがって、図１０（Ａ）乃至（Ｃ）に示すように、センタリング部２２０４は、光ディスク２の中心孔２１が挿通され光ディスク２のチャッキング領域２２Ａ（中心部）がテーブル部２００２に当接されることにより、中心孔２１の縁部が各ばね片２２０６によって径方向外方に付勢され、これにより光ディスク２の中心を回転軸２００２の中心軸に一致させるように構成されている。
また、センタリング部２２０４が中心孔２１に挿通され、かつ、光ディスク２のチャッキング領域２２Ａがテーブル部２２０２に当接した状態で、各ばね片２２０６が中心孔２１の縁部に当接するとともに、各係合凸部２２０８が中心孔２１の縁部の上側に係合することで光ディスク２がターンテーブル２２に取着されるように構成されている。本実施の形態では、これら各ばね片２２０６および各係合凸部２２０８によって第１のチャッキング手段が構成されている。
また、各ばね片２２０６および各係合凸部２２０８が光ディスク２をターンテーブル２２に取着する力は、光ディスク２に対して該光ディスク２のほぼ自重に相当する力が光ディスク２に作用したときに、光ディスク２がターンテーブル２２から脱落しない程度の値に設定されている。
【００１４】
チャックプーリー２４は、図８に示すように、開閉蓋１４の内面側に設けられている。
チャックプーリー２４は、軸受部２４０２を介し開閉蓋１４に回転可能に、かつ、傾動可能で出没可能に支持され、常時開閉蓋１４から離れる方向に付勢されて配設されている。
チャックプーリー２４は、図３に示すように、開閉蓋１４が開いた状態では、ホルダ１６１０に収容されたディスクカートリッジ４から離れ、図８に示すように、開閉蓋１４が閉じた状態では、ホルダ１４に収容されたディスクカートリッジ４のチャッキング領域２２Ａに孔１６０３を介して当接するように構成されている。
チャックプーリー２４は、磁力によって吸着される板金などの磁性材料から構成され、テーブル部２２０２の外径とほぼ同じ寸法の外径を有する円盤状に形成され、その中央部が開閉蓋１４側に湾曲し、該中央部の周縁が平坦な環板状を呈している。
したがって、ディスクカートリッジ４をホルダ１６１０に装填した状態で開閉蓋１４を閉位置に移動させると、光ディスク２の中心孔２１にセンタリング部２２０４が挿通されるとともに、第１のチャッキング手段によってターンテーブル２０に取着される。そして、チャックプーリー２４が光ディスク２のチャッキング領域２２Ａにテーブル部２２０２と反対側から当接し、該チャックプーリー２４がチャックマグネット２２１０の磁力によりテーブル部２２０２側に吸着されることにより光ディスク２のチャッキング領域２２Ａがチャッキングプーリー２４とテーブル部２２０２との間で挟持されることになる。
また、ベアディスク状態の光ディスク２を前記第１のチャッキング手段によりターンテーブル２０に取着した状態で開閉蓋１４を閉位置に移動させると、ベアディスク状態の光ディスク２は、切欠１６０８を通ってホルダ１６内に位置し、チャックプーリー２４が光ディスク２のチャッキング領域２２Ａにテーブル部２２０２と反対側から当接し、該チャックプーリー２４がチャックマグネット２２１０の磁力によりテーブル部２２０２側に吸着されることにより光ディスク２のチャッキング領域２２Ａがチャッキングプーリー２４とテーブル部２２０２との間で挟持されることになる。
本実施の形態では、チャックプーリー２４とチャックマグネット２２１０によって第２のチャッキング手段が構成されている。
【００１５】
図８に示すように、スピンドルモータ２０は、ステータ部２０Ａとロータ部２０Ｂとで構成されている。
ステータ部２０Ａは、シャーシ１２０８に取着された軸受部材２００４と、軸受部材２００４の外周に固定されたコイル鉄心２００６と、該コイル鉄心２００６に巻回されたコイル２００８の巻線をモータドライバ１１０に接続する不図示の配線部材とで構成されている。
ロータ部２０Ｂは、軸受部材２００４によって支持された回転軸２００２と、回転ヨーク２０１０と、ロータマグネット２０１２とで構成されている。
ターンテーブル２２は回転軸２００２に取着されており、回転ヨーク２０１０はコイル鉄心２００６を囲むようにターンテーブル２２に取着され、ロータマグネット２０１２はコイル鉄心２００６に臨むように回転ヨーク２０１０に取着されている。
ロータマグネット２０１２とコイル鉄心２００６とは適当なギャップを介して対向しており、モータドライバ１１０からコイル２００８の巻線に駆動電流が供給されることにより、ロータマグネット２０１２がコイル鉄心２００６から力を受けることでロータ部２０Ｂを構成するターンテーブル２２および回転軸２００２が一体的に回転駆動される。
【００１６】
次に、ビデオカメラ１０にベアディスク状態の光ディスク２を装填する場合について説明する。
ユーザーがレバー１２０６を操作して開閉蓋１４を図１に示す閉位置から図２に示す開位置に開くと、カートリッジ保持機構１６は、その後部が開閉蓋１４から突出される。ユーザーが光ディスク２を把持し、図１０（Ａ）乃至（Ｃ）に示すように、中心孔２１にセンタリング部２２０４を挿通させ光ディスク２のチャッキング領域２２Ａをターンテーブル２２に当接させることにより、図４に示すように、前記第１のチャッキング手段によって光ディスク２がターンテーブル２２に取着される。
ここで、係合凸部２２０８が光ディスク２をターンテーブル２２に取着する力は、光ディスク２に対して該光ディスク２のほぼ自重に相当する力が光ディスク２に作用したときに、光ディスク２がターンテーブル２２から脱落しない程度の値に設定されているため、光ディスク２の面が鉛直方向に沿った状態は無論のこと、光ディスク２の面が水平方向に沿ってかつ下向きの状態であったとしても、光ディスク２はターンテーブル２２から外れることはない。
そして、開閉蓋１４を閉位置に移動させると、第２のチャッキング手段により光ディスク２がターンテーブル２２に取着される。
次いで、ユーザーが操作スイッチ１２６を操作することにより撮影動作が行なわれると、モータドライバ１１０からスピンドルモータ２０に駆動信号が供給されることによりスピンドルモータ２０が駆動され、ターンテーブル２２に取着された光ディスク２が回転され、この状態で画像情報が光ディスク２に記録される。また、再生動作が行なわれると、記録動作の場合と同様に、光ディスク２が回転され、この状態で光ディスク２に記録された画像情報が再生されモニタ１２４に画像が表示される。
【００１７】
次に、ビデオカメラ１０からベアディスク状態の光ディスク２を取り出す場合について説明する。
ユーザーがレバー１２０６を操作して開閉蓋１４を図１に示す閉位置から図２に示す開位置に開くと、図４に示すように、チャックプーリー２４は光ディスク２のチャッキング領域２２Ａから離れる。この際、光ディスク２は第１のチャッキング手段によってターンテーブル２２に取着されているため、光ディスク２の面が鉛直方向に沿った状態は無論のこと、光ディスク２の面が水平方向に沿ってかつ下向きの状態であったとしても、光ディスク２はターンテーブル２２から外れることはない。
そして、光ディスク２を把持してセンタリング部２２０４から抜去する方向に力を加えることにより、図１０（Ｃ）、（Ｂ）、（Ａ）に示すように、センタリング部２２０４の係合凸部２２０８と中心孔２１の縁部との係合が解除され、光ディスク２を取り外すことができる。
なお、センタリング部２２０４から光ディスク２を抜去する際に該光ディスク２に加わる力は、前記第１のチャッキング手段が光ディスク２をターンテーブル２２に取着する力であり光ディスク２の自重に相当する軽い力で済む。
【００１８】
次に、ビデオカメラ１０にディスクカートリッジ４を装填する場合について説明する。
ユーザーがレバー１２０６を操作して開閉蓋１４を図１に示す閉位置から図２に示す開位置に開くと、カートリッジ保持機構１６は、その後部が開閉蓋１４から突出される。図３に示すように、ユーザーがディスクカートリッジ４を把持し、ホルダ１６１０に装填すると、ディスクカートリッジ４のシャッター４４が前記シャッター開放機構により開放位置に移動される。
ディスクカートリッジ４をホルダ１６１０に装填した状態で開閉蓋１４を閉位置に移動させると、第１のチャッキング手段および第２のチャッキング手段によってディスクカートリッジ４の光ディスク２がターンテーブル２０に取着される。
次いで、ユーザーが操作スイッチ１２６を操作することにより撮影動作が行なわれると、モータドライバ１１０からスピンドルモータ２０に駆動信号が供給されることによりスピンドルモータ２０が駆動され、ターンテーブル２２に取着された光ディスク２がチャックプレート２４と共に回転され、この状態で画像情報が光ディスク２に記録される。また、再生動作が行なわれると、記録動作の場合と同様に、光ディスク２が回転され、この状態で光ディスク２に記録された画像情報が再生されモニタ１２４に画像が表示される。
【００１９】
次に、ビデオカメラ１０からディスクカートリッジ４を取り出す場合について説明する。
ユーザーがレバー１２０６を操作して開閉蓋１４を図１に示す閉位置から図２に示す開位置に開くと、光ディスク２には、カートリッジ保持機構１６およびカートリッジケース４２を介して中心孔２１がセンタリング部２２０４から抜去される方向に力が加わり、図１０（Ｃ）、（Ｂ）、（Ａ）に示すように、センタリング部２２０４の係合凸部２２０８と中心孔２１の縁部との係合が解除され、光ディスク２がセンタリング部２２０４から取り外され、これと同時に、チャックプーリー２４はホルダ１６１０に収容されたディスクカートリッジ４の光ディスク２のチャッキング領域２２Ａから離れる。
図３に示すように開閉蓋１４を開位置にしたならば、ユーザーがディスクカートリッジ４を把持し、ホルダ１６１０から抜去することにより、前記シャッター開放機構によりディスクカートリッジ４のシャッター４４が開放位置から閉塞位置に移動され、ディスクカートリッジ４を取り外すことができる。
なお、開閉蓋１４を開位置に開いて光ディスク２をセンタリング部２２０４から取り外す際に、ディスクカートリッジ４および光ディスク２に加わる力は、前記第１のチャッキング手段が光ディスク２をターンテーブル２２に取着する力であり光ディスク２の自重に相当する軽い力で済むため、開閉蓋１４やホルダ１６１０、ディスクカートリッジ４に過大な力がかかることはない。
【００２０】
以上説明したように本実施の形態のビデオカメラ１０によれば、光ディスク２が第１のチャッキング手段によりターンテーブル２２に取着された状態で第２のチャッキング手段が光ディスク２のチャッキング領域２２Ａにターンテーブル２２と反対側から当接することによりチャッキング領域２２Ａをターンテーブル２２との間で挟持するように構成したので、ディスク装置やスピンドルモータの姿勢に拘わらずベアディスク状態の光ディスク２およびディスクカートリッジ４に収容された光ディスク２の双方を確実にチャッキングする上で有利となる。
また、本発明によれば、ベアディスク状態の光ディスク２のみを用いるディスク装置、あるいはディスクカートリッジ４のみを用いるディスク装置の双方の機構を共通化することができるので、設計、製造、管理、メンテナンスなどに係わるコストを削減する上で有利となる。
【００２１】
次に、第１のチャッキング手段の変形例について説明する。
図１１は第１のチャッキング手段の第１の変形例を示す断面図であり、以下では、第１の実施の形態と同様の部分あるいは部材には同一の符号を付してその説明を省略する。
図１１に示すように、第１の変形例は、ばね片２２０６の上部に設けていた係合凸部２２０８を省略した点が第１の実施の形態と異なっている。
第１の変形例では、センタリング部２２０４が中心孔２１に挿通され、かつ、光ディスク２のチャッキング領域２２Ａがテーブル部２２０２に当接した状態で各ばね片２２０６が中心孔２１の縁部に当接することのみで光ディスク２がターンテーブル２２に取着されるように構成されている。本例では、これら各ばね片２２０６によって第１のチャッキング手段が構成されている。
このような第１の変形例でも第１の実施の形態と同様の効果を奏することができる。
【００２２】
図１２は、第１のチャッキング手段の第２の変形例を示す断面図である。
第２の変形例では、第１のチャッキング手段が、光ディスク２の中心孔２１の縁部に臨むセンタリング部２２０４の箇所に設けられた３以上の奇数個の係合爪２２１２で構成されている点が第１の実施の形態と異なっている。
各係合爪２２１２は、センタリング部２２０４の径方向に出没可能で、かつ、径方向外方に付勢されて配設されている。
第２の変形例では、センタリング部２２０４が光ディスク２の中心孔２１に挿通され、光ディスク２のチャッキング領域２２Ａ（中心部）がテーブル部２００２に当接されることにより、中心孔２１の縁部に各係合爪部２２１２が付勢された状態で係合し、これにより光ディスク２の中心と回転軸２００２の中心とが一致するとともに、光ディスク２のチャッキング領域２２Ａがテーブル部２２０２に当接した状態で光ディスク２がターンテーブル２２に取着されるように構成されている。
このような第２の変形例でも第１の実施の形態と同様の効果を奏することができる。
【００２３】
なお、本発明は、光ディスク２の一方の面が記録面として構成され、他方の面が表面として構成されている場合、あるいは、光ディスク２が２枚の媒体を貼り合わせた構造からなり、一方の面と他方の面の双方が記録面として構成されている場合のいずれであっても無論適用可能である。
また、本実施の形態では、ディスク状記録媒体として、ＤＶＤ−Ｒ、ＤＶＤ−ＲＡＭを用いたが、他の形式の光ディスクや光磁気ディスクを用いてもよい。
また、本実施の形態では、ディスク装置がビデオカメラで構成されている場合について説明したが、本発明は、ディスク状記録媒体に対して情報の記録および／または再生を行なう種々のディスク装置に適用可能である。
【００２４】
【発明の効果】
以上説明したように、本発明によれば、ベアディスク状態のディスク状記録媒体およびディスクカートリッジに収容されたディスク状記録媒体の双方を確実にチャッキングする上で有利なディスク装置を提供することができる。
【図面の簡単な説明】
【図１】本発明に係るビデオカメラを斜め後方から見た斜視図である。
【図２】ビデオカメラの開閉蓋が開位置にある状態を示す斜視図である。
【図３】ビデオカメラにディスクカートリッジを装填する状態を示す斜視図である。
【図４】ビデオカメラにベアディスク状態の光ディスクを取着した状態を示す斜視図である。
【図５】（Ａ）、（Ｂ）はディスクカートリッジの斜視図である。
【図６】ホルダの斜視図である。
【図７】ビデオカメラの制御系の構成を示すブロック図である。
【図８】スピンドルモータ近傍の断面図である。
【図９】図８の拡大断面図である。
【図１０】（Ａ）、（Ｂ）、（Ｃ）は光ディスクの第１チャッキング手段への取付を説明する図である。
【図１１】第１のチャッキング手段の第１の変形例を示す断面図である。
【図１２】第１のチャッキング手段の第２変形例を示す断面図である。
【符号の説明】
２……光ディスク、４……ディスクカートリッジ、１０……ビデオカメラ、１２……本体、１４……開閉蓋、１５……収容空間、１６……カートリッジ保持機構、２０……スピンドルモータ、２２……ターンテーブル、２４……チャックプーリー、２００２……回転軸、２２０２……テーブル部、２２０４……センタリング部、２２１０……チャックマグネット。
【図１】
2004342265.tif 000003
【図２】
2004342265.tif 000004
【図３】
2004342265.tif 000005
【図４】
2004342265.tif 000006
【図５】
2004342265.tif 000007
【図６】
2004342265.tif 000008
【図７】
2004342265.tif 000009
【図８】
2004342265.tif 000010
【図９】
2004342265.tif 000011
【図１０】
2004342265.tif 000012
【図１１】
2004342265.tif 000013
【図１２】
2004342265.tif 000014